(57)【要約】【課題】  色分解処理を行うための色分解テーブルの、色空間の中心部において、擬似輪郭が発生することを防止し、良好な記録画像を得ることを可能とする。【解決手段】  色分解テーブルを作成するための制御ラインを設定する（Ｓ６０１）。そして、制御ラインに基づき色分解テーブルの立方体を６つの四面体に分割し（Ｓ６０２）、さらに四面体をそれぞれ三角形に分割する（Ｓ６０３）。三角形の内部を補間するとき、重み付けを計算し（Ｓ６０５）、格子点データを求める。【選択図】  図６
2006345112.tif 000002
【特許請求の範囲】
【請求項１】
所定の色空間の色信号を画像出力を行うための色材の色空間の色材値信号に変換するための色分解テーブルの作成方法であって、
前記所定の色空間の色信号によって規定される格子点からなる立体において、それぞれ所定の格子点を結んで得られる複数の制御ラインを設定する工程と、
該設定された複数の制御ラインのうち４本の制御ラインの組合わせによって複数の四面体を設定する工程と、
該設定された複数の四面体のそれぞれについて、頂点に対向する三角形に平行な複数の三角形を設定する工程と、
該複数の三角形のそれぞれについて、当該三角形の３つの頂点それぞれについて、当該頂点の対辺に平行なグリッド線上の格子点について、当該グリッド線が交わる２つの辺上の格子点の色材値を用いた補間によって色材値を求める工程と、
該求めた格子点の色材値に対して、当該グリッド線の当該頂点からの距離が近い程大きい重み付けをし、３つの頂点について求められる同じ格子点の重み付けされた色材値の平均を求め、該平均値を当該格子点の色材値に設定する工程と、
を有したことを特徴とする色分解テーブル作成方法。
【請求項２】
前記頂点に対向する三角形に平行な複数の三角形を設定する工程は、４つの頂点それぞれについて当該頂点に対向する三角形に平行な複数の三角形を設定し、
前記色材値を設定する工程は、前記複数の四面体それぞれについて、当該四面体の４つの頂点に関して求められる、当該四面体内の同じ格子点の４つの重み付け平均された色材値の平均を求め、該平均値を当該格子点の色材値に設定することを特徴とする請求項１に記載の色分解テーブル作成方法。
【請求項３】
前記重み付けされた色材値の平均を求める工程は、当該重み付けの大きさを、前記３つの頂点それぞれに関して当該頂点を端部とする２辺の色材値の量を用いて定めることを特徴とする請求項１または請求項２に記載の色分解テーブル作成方法。
【請求項４】
所定の色空間の色信号を画像出力を行うための色材の色空間の色材値信号に変換する画像処理装置であって、
前記所定の色空間の色信号によって規定される格子点からなる立体において、それぞれ所定の格子点を結んで得られる複数の制御ラインを設定する手段と、
該設定された複数の制御ラインのうち４本の制御ラインの組合わせによって複数の四面体を設定する手段と、
該設定された複数の四面体のそれぞれについて、頂点に対向する三角形に平行な複数の三角形を設定する手段と、
該複数の三角形のそれぞれについて、当該三角形の３つの頂点それぞれについて、当該頂点の対辺に平行なグリッド線上の格子点について、当該グリッド線が交わる２つの辺上の格子点の色材値を用いた補間によって色材値を求める手段と、
該求めた格子点の色材値に対して、当該グリッド線の当該頂点からの距離が近い程大きい重み付けをし、３つの頂点について求められる同じ格子点の重み付けされた色材値の平均を求め、該平均値を当該格子点の色材値に設定する手段と、
を有したことを特徴とする画像処理装置。
【請求項５】
前記頂点に対向する三角形に平行な複数の三角形を設定する手段は、４つの頂点それぞれについて当該頂点に対向する三角形に平行な複数の三角形を設定し、
前記色材値を設定する手段は、前記複数の四面体それぞれについて、当該四面体の４つの頂点に関して求められる、当該四面体内の同じ格子点の４つの重み付け平均された色材値の平均を求め、該平均値を当該格子点の色材値に設定することを特徴とする請求項３に記載の画像処理装置。
【請求項６】
前記重み付けされた色材値の平均を求める手段は、当該重み付けの大きさを、前記３つの頂点それぞれに関して当該頂点を端部とする２辺の色材値の量を用いて定めることを特徴とする請求項３または請求項４に記載の画像処理装置。
【請求項７】
コンピュータに、所定の色空間の色信号を画像出力を行うための色材の色空間の色材値信号に変換するための色分解テーブルを作成するための画像処理を実行させるプログラムであって、前記画像処理は、
前記所定の色空間の色信号によって規定される格子点からなる立体において、それぞれ所定の格子点を結んで得られる複数の制御ラインを設定する工程と、
該設定された複数の制御ラインのうち４本の制御ラインの組合わせによって複数の四面体を設定する工程と、
該設定された複数の四面体のそれぞれについて、頂点に対向する三角形に平行な複数の三角形を設定する工程と、
該複数の三角形のそれぞれについて、当該三角形の３つの頂点それぞれについて、当該頂点の対辺に平行なグリッド線上の格子点について、当該グリッド線が交わる２つの辺上の格子点の色材値を用いた補間によって色材値を求める工程と、
該求めた格子点の色材値に対して、当該グリッド線の当該頂点からの距離が近い程大きい重み付けをし、３つの頂点について求められる同じ格子点の重み付けされた色材値の平均を求め、該平均値を当該格子点の色材値に設定する工程と、
を有したことを特徴とするプログラム。
【発明の詳細な説明】
【技術分野】
【０００１】
本発明は、色分解テーブル作成方法および画像処理装置に関し、詳しくは、画像データを構成する色信号を印刷に用いるインクなど色材の色信号に変換する色分解テーブルの作成方法および画像処理装置に関するものである。
【背景技術】
【０００２】
画像データの色信号を、カラープリンタなどの印刷装置で用いるインクなどの色材の色信号に変換する処理では、色分解テーブルを用いるのが一般的である。この色分解テーブルは、例えば、Ｒ、Ｇ、Ｂの色信号の値で規定される格子点にインクの色信号である、Ｙ（イエロー）、Ｍ（マゼンタ）、Ｃ（シアン）、Ｋ（ブラック）のインク値（インク量）を格子点データとして格納したものである。
【０００３】
この色分解テーブルの生成方法として、ＲＧＢ色空間において格子点により構成される立方体を、当該立方体の頂点のうち、それぞれ４点を頂点にもつ６つの四面体に分割し、それぞれの四面体を構成する４つの三角形を形成する各辺上の格子点について予めインク量（格子点データ）を定め、この辺上の格子点のインク量に基づく補間処理によって、これら辺以外の四面体内部における各点の格子点のインク量を求める方法が知られている。
【０００４】
図１は、分割された６つの四面体を示す図である。色分解テーブルの作成に際して予め格子点データが定められる立方体における８つの頂点、Ｗ（ホワイト），Ｃ，Ｍ，Ｙ，Ｒ，Ｇ，Ｂ，Ｋが定められ、頂点Ｗからそれぞれ頂点Ｃ，Ｍ，Ｙ，Ｒ，Ｇ，Ｂを通り頂点Ｋに至るライン、および、頂点Ｗと頂点Ｋを結ぶ７本のラインを用い、６つに分割される。
【０００５】
６つの四面体の内部に関する補間方法は、特許文献１では、例えば、図１の（ａ）に示す四面体において、まず、三角形ＷＲＫに平行な複数の三角形に分割し、それぞれの三角形の内部を、三角形の３辺のインク値のピーク値と等高線を用いる方法が記載されている。
【０００６】
図２は、分割された三角形を補間する例を示す図である。三角形ＡＢＣにおいて、辺ＡＢに対し(1)、辺ＡＣに対し(2)、辺ＢＣに対し(3)のインクの値がそれぞれ与えられている場合、(1)および(2)のインク値の頂点Ａと(3)のインク値の頂点Ｉを結び、辺ＡＩを補間した後に、三角形ＡＢＩおよび三角形ＡＣＩに関して、それぞれ補間を行う。補間は、各辺のインク値から等高線を作成し、この等高線をガイドとして用いる。この様な補間をインク色毎に行った後、三角形の集合体として四面体を形成し、６つの四面体を結合して立方体の色分解テーブルを作成する。
【０００７】
【特許文献１】特開２００２−０３３９３０号公報
【発明の開示】
【発明が解決しようとする課題】
【０００８】
しかしながら、上記従来例では、６つの四面体それぞれで、その四面体を構成する４つの三角形のうち１つの三角形を定め、その三角形に平行な複数の三角形に分割して補間を行う。このため、６つの四面体を結合して作成された立方体の色分解テーブルでは、四面体の境界を挟んだ格子点のインク値が滑らかに変化しない場合がある。その結果、その色分解テーブルを用いて出力される画像では、擬似輪郭が発生することがある。すなわち、分割に際して四面体毎に定められる三角形に応じて複数の三角形に分割する方向が異なる。このため、三角形の内部の補間にあたり、図２にて説明したように、単に各辺のインク値分布に応じた補間を行うと、隣接する四面体で異なる三角形の内部補間が行われることになり、四面体の境界面を挟んだ格子点のインク値が滑らかに変化しない場合がある。
【０００９】
本発明は、上述した問題を解決するためになされたものであり、その目的とするところは、色分解テーブルの作成において、四面体毎に三角形を分割する方向が異なっても、その色分解テーブルを用いて出力される画像に擬似輪郭が発生しない色分解テーブル作成方法および画像処理装置を提供することにある。
【課題を解決するための手段】
【００１０】
上記目標を達成するため本発明は、所定の色空間の色信号を画像出力を行うための色材の色空間の色材値信号に変換するための色分解テーブルの作成方法であって、前記所定の色空間の色信号によって規定される格子点からなる立体において、それぞれ所定の格子点を結んで得られる複数の制御ラインを設定する工程と、該設定された複数の制御ラインのうち４本の制御ラインの組合わせによって複数の四面体を設定する工程と、該設定された複数の四面体のそれぞれについて、頂点に対向する三角形に平行な複数の三角形を設定する工程と、該複数の三角形のそれぞれについて、当該三角形の３つの頂点それぞれについて、当該頂点の対辺に平行なグリッド線上の格子点について、当該グリッド線が交わる２つの辺上の格子点の色材値を用いた補間によって色材値を求める工程と、該求めた格子点の色材値に対して、当該グリッド線の当該頂点からの距離が近い程大きい重み付けをし、３つの頂点について求められる同じ格子点の重み付けされた色材値の平均を求め、該平均値を当該格子点の色材値に設定する工程と、を有したことを特徴とする。
【発明の効果】
【００１１】
以上の構成によれば、それぞれの四面体について分割される三角形の内部補間では、三角形の頂点によって定まる３方向のそれぞれで内部補間を行い、それら３方向それぞれで得られたインク値の重み付き平均を求め、色分解テーブルを作成する。これにより、各三角形の補間およびこの結果を用いた四面体の形成の結果得られる各格子点のインク値は、四面体を構成する制御ラインに近い格子点程、その制御ライン上の格子点のインク値に近い値となる。その結果、各四面体の境界を挟む格子点のインク値は、大きな変化がなく、滑らかに変化し、擬似輪郭を抑制する色分解テーブルを得ることができる。
【発明を実施するための最良の形態】
【００１２】
以下に図面を参照して本発明における実施形態を詳細に説明する。  
（実施形態１）
図３は、本発明の一実施形態にかかる印刷システムにおいて、色分解処理を行うための色分解テーブルの作成を実行する概略構成を示すブロック図である。
【００１３】
同図において、３０１は、制御ライン設定手段部を示し、第一の色空間の色点と黒点を結ぶ少なくとも７本の制御ラインを色分解テーブルに応じて設定する。例えば、頂点Ｗからそれぞれ頂点Ｃ，Ｍ，Ｙ，Ｒ，Ｇ，Ｂを通り頂点Ｋに至るライン、および、頂点Ｃと頂点Ｋを結ぶラインを設定する。３０２は、３０１で設定された制御ラインのうち、４本のラインを選択して、第一の色空間において四面体を作成する四面体作成手段部を示す。３０３は、四面体の補間方向を決定する補間方向決定手段部を、３０４は、３０３で決定された補間方法に従って四面体の一つの面に平行な三角形を複数形成する三角形形成手段部を、３０５は、３０４で形成された三角形を補間する三角形補間手段部を、３０６は、３０３で決定された補間方向を用いて基準線の重みを決定する手段部を、３０７は、３０５で補間された値と、３０６で決定された重みとを用いて格子点の信号値を決定する手段部を、それぞれ示す。
【００１４】
図４は、本実施形態に用いられるコンピュータシステムの具体的な構成を示す図である。
【００１５】
同図において、４０１は分光光度計などの画像入力信号装置を、４０２はパーソナルコンピュータなどのコンピュータを、４０３は画像信号情報などを表示するディスプレイを、４０４はプリンタなどの記録装置をそれぞれ示す。コンピュータ４０２は、分光光度計４０１により読取られた画像信号の編集やデータ保存を行う。
【００１６】
図５は、図４に示すコンピュータシステムにおいて、本実施形態における処理に用いられる主要部を示したブロック図である。
【００１７】
５０２はコンピュータシステムを、５１３はユーザ等の外部からの指示を入力するためのマウスやキーボードなどの入力装置を、４０１は分光光度計などの画像入力信号装置を、４０３は処理対象画像の表示や操作者へのメッセージを表示するディスプレイ装置を、４０４はカラープリンタなどの記録装置を、５１４は外部機器からの様々なデータの送受信可能なモデムやネットワークカードなどの伝送機器を、５１５は外部からの音声データを入力するためのマイクなどの外部ライン入力装置を、それぞれ示す。また、コンピュータシステム５０２において、５０３は内部に記録されたプログラムや外部から入力されたプログラムの実行や、色分解システムの制御を行い、後述する色分解テーブルを作成するための処理を行うＣＰＵを、５０４はあらかじめ画像処理などを記憶するＲＯＭを、５０５は一時的にプログラムや処理対象となる画像データなどを格納するＲＡＭを、５０６はディスプレイ装置４０３の制御を行うディスプレイ制御装置を、５０８はプログラムや画像処理前後の画像データなどを格納する外部記憶装置を、５１０はコンパクトディスクドライブを、５１１はフロッピー（登録商標）ディスクドライブを、それぞれ示す。ＲＯＭ５０４や外部記録装置５０８は、後述する色分解テーブルを作成するためのプログラムを格納する。
【００１８】
５０１、５０２、５０７、５０９、５１２は、入力装置５１３、分光光度計４０１、記録装置４０４、伝送機器５０９、外部入力装置５１５、とコンピュータシステム５０２とを、それぞれつなぐインターフェイスを示す。
【００１９】
図６は、色分解処理に用いるための色分解テーブルを作成する処理を示すフローチャートである。
【００２０】
まず、色分解テーブルを作成するための制御ラインを設定する（Ｓ６０１）。
図７（ａ）は、色分解テーブルの構成を模式的に示す図である。色分解テーブルは、色信号Ｒ´Ｇ´Ｂ´それぞれの格子点に対応して本実施形態の色材であるＣＭＹＫの各インクの信号である（Ｃ´Ｍ´Ｙ´Ｋ´）の組の格子点データとして格納したものである。
【００２１】
図７（ｂ）は、制御ラインを示す図である。これらのラインは、図７（ａ）に示した立方体において８個の頂点Ｗ，Ｃ，Ｍ，Ｙ，Ｒ，Ｇ，Ｂ，Ｋが定められ、頂点Ｗからそれぞれ頂点Ｃ，Ｍ，Ｙ，Ｒ，Ｇ，Ｂを通り頂点Ｋに至るライン、および、頂点Ｃと頂点Ｋを結ぶラインであり、Ｓ６０１ではこれらのラインを制御ラインとして設定し、色変換テーブルを取得する。このテーブルは、外部記録装置、コンパクトディスク、フロッピー（登録商標）ディスクなどの記憶装置に記憶されたものを用いても、伝送機器５１４を介して取得してもよい。
【００２２】
次に、Ｓ６０１で設定された制御ラインを用いて、図７（ａ）に示す立方体を図１に示す６つの四面体に分割する（Ｓ６０２）。分割された６つの四面体のデータはＲＡＭ５０５や外部記録装置５０８に記憶される。
【００２３】
分割された四面体の１つを複数の三角形に分割する（Ｓ６０３）。分割は、四面体の４つの頂点のうち１つの頂点を基準に、基準とした頂点に対する底面の三角形に平行な格子点毎の複数の三角形に分割する。格子点の基準となる四面体の１つの面に平行な複数の面に分割する。この格子点の数は、８ｂｉｔのＲＧＢ用色分解テーブルを作成する場合には、最小値が２であり、最大値が２５６となる。例えば、図１（ａ）に示す四面体では、面ＷＲＫに平行な三角形を点Ｍに向かって格子点の数だけ作成する。
【００２４】
分割された全ての三角形について、それぞれの頂点の方向から、各辺のインク値に基づく補間を行う（Ｓ６０４）。
【００２５】
図８は、三角形の補間方向の例を示す図である。頂点Ａから辺ＢＣへ向かう方向について補間をする場合には、辺ＡＢと辺ＡＣとのインク値と、頂点Ａの対辺に平行であって、格子点を通る直線であるグリッド線を用いて、頂点Ａに関する三角形内部の各格子点のインク値を求める。すなわち、グリッド線と辺ＡＢおよび辺ＡＣの交点のインク値から、それぞれの交点と格子点の距離の内分比によって、各格子点のインク値を求める補間を行う。同様に、頂点Ｂから辺ＡＣへ向かう方向については辺ＢＡと辺ＢＣのインク値と対応するグリッド線を用い、頂点Ｃから辺ＡＢへ向かう方向については辺ＣＡと辺ＣＢのインク値と対応するグリッド線を用い、それぞれの頂点から各格子点について、インク値を求める。
【００２６】
補間された結果は、ＲＡＭ５０５や外部記憶装置５０８などの記憶装置に記憶される。
次に、各グリッド線の重み付けを求める（Ｓ６０５）。
【００２７】
図９は、重み付けの例を示した図である。まず、頂点Ａから辺ＢＣに向かう方向について、各グリッド線の重みを計算する。重みは、辺ＡＣのインク値の総和Ｓ１と辺ＡＢのインク値の総和Ｓ２との合計に、辺ＢＣから数えたグリッド線の数を辺ＢＣに平行なグリッド線の合計本数で割った値を、乗じて求める。このように重みは、頂点に近いほど大きく、頂点から遠いほど小さくなるような値を採る。同様に、頂点Ｂから辺ＡＣに向かう方向および頂点Ｃから辺ＡＢに向かう方向について、各グリッド線の重みを計算する。例えば、図９の格子点Ｐについて、頂点Ａからの重みＷＡは、（８／８）×（Ｓ１＋Ｓ２）、頂点Ｂからの重みＷＢは、（１／８）×（Ｓ２＋Ｓ３）、頂点Ｃからの重みＷＣは、（１／８）×（Ｓ１＋Ｓ３）となる。
【００２８】
計算された値は、ＲＡＭ５０５や外部記憶装置５０８などの記憶装置に記憶される。
次に、各重みに基づいて、三角形の内部の格子点の信号値を、計算する（Ｓ６０６）。格子点の信号値は、Ｓ６０４で求めた補間結果とＳ６０５で求めた重みを用いて求める。それぞれの信号値は、Ｓ６０４において頂点Ａからの方向で求められたインク値にＳ６０５で求められた頂点Ａからのグリッド線の重みを乗じた数と、Ｓ６０４において頂点Ｂからの方向で求められたインク値にＳ６０５で求められた頂点Ｂからのグリッド線の重みを乗じた数と、Ｓ６０４において頂点Ｃからの方向で求められたインク値にＳ６０５で求められた頂点Ｃからのグリッド線の重みを乗じた数と、を合計した数を、求める格子点の頂点Ａ，Ｂ，Ｃからのグリッド線の重みの合計で、割った数とする。計算された値は、ＲＡＭ５０５や外部記憶装置５０８などの記憶装置に記憶される。例えば、図９に示す格子点Ｐの信号値は、Ｓ６０４で求めたインク値を、頂点Ａからα、頂点Ｂからβ、頂点Ｃからγとすると、（ＷＡ×α＋ＷＢ×β＋ＷＣ×γ）／（ＷＡ＋ＷＢ＋ＷＣ）となる。分割された全ての三角形についてＳ６０４からＳ６０６までの処理を行い、全ての格子点について信号値を求める。求められた格子点毎の信号値を、ＲＡＭ５０５や外部記録装置５０８などの記録装置に記憶される（Ｓ６０７）。
【００２９】
四面体の頂点を基準とするとき、基準とした頂点に対する底面の三角形に平行な複数の三角形に分割し、それぞれの三角形について上述したＳ６０３からＳ６０７の処理を行う。この処理を四面体の頂点の数である４回繰り返すことにより、１つの格子点の信号値は４種類与えられることとなる。
【００３０】
次に、上記処理により求められた四面体の格子点データを基に、四面体を形成する（Ｓ６０８）。この形成は、例えば、Ｓ６０６で求められた４つのデータの平均値を採るという方法や、四面体の各頂点からの重み付けを計算して求める方法がある。
【００３１】
Ｓ６０３からＳ６０８までの処理を、立方体を形成する６つの四面体について行う。求められた信号値は、ＲＡＭ５０５や外部記憶装置５０８などの記憶装置に記憶される。
【００３２】
最後に、四面体を結合して、立方体を完成し、色分解処理に用いるためのルックアップテーブルを作成する（Ｓ６０９）。
【００３３】
以上のように、本実施形態によれば、それぞれの四面体について分割される三角形の内部補間では、三角形の頂点によって定まる３方向のそれぞれで内部補間を行い、それら３方向それぞれで得られたインク値の重み付き平均を求める。そして、このような複数の三角形に分解することを、四面体の４つの頂点について行い、得られる４つの頂点毎に求められる格子点データ（インク値）の、重み付き平均をとることによって、色分解テーブルを作成する。これにより、各三角形の補間およびこの結果を用いた四面体の形成の結果得られる各格子点のインク値は、四面体を構成する制御ラインに近い格子点程、その制御ライン上の格子点のインク値に近い値となる。その結果、各四面体の境界を挟む格子点のインク値は、大きな変化がなく、滑らかに変化する。
【００３４】
なお、本実施形態では、Ｓ６０３からＳ６０７の処理を四面体の頂点の数である４回繰り返すことにより、１つの格子点の信号値が４種類与えられるが、本発明は、四面体の１つの頂点に対する底面の三角形に平行な複数の三角形に分割し、１つの格子点の信号値が１種類であってもよく、Ｓ６０３からＳ６０７の処理の回数には拘束されない。
【００３５】
また、本発明は、三角形の分割方向や三角形の補間方向の順序等には拘束されないことは勿論、本実施形態では、四面体ごとに、三角形を分割する処理（Ｓ６０３）、補間処理（Ｓ６０４）、重み計算（Ｓ６０５）、信号値計算（Ｓ６０６）などを行っているが、６つの四面体の全てについて三角形に分解してから、それぞれの三角形について補間処理を行ってもよく、また、全ての三角形について補間処理を行った後に重みを求めるなど、処理を行う単位や順番には拘束されない。
【００３６】
（実施形態２）
実施形態１では、重みは、２辺のインク値の総和の合計に、グリッド線の数をグリッド線の合計本数で割った値を、乗じて求めたが（Ｓ６０５）、頂点からの距離のみに応じた重みであっても、各辺のインク値の総和のみに応じた重みであってもよい。また、補間処理に用いた各辺のインク値を重みの基準としても、補間処理に用いた各辺のインク値と頂点からの距離に応じた重みであってもよい。
【００３７】
（実施形態３）
実施形態１および２では、分割された四面体の１つを、４つの頂点それぞれを基準として、複数の三角形に分割したが、２つの頂点または３つの頂点を基準として分割してもよい。
【００３８】
（その他）
本発明は上記実施形態を実現する為の装置及び方法のみに限定されるものではなく、上記システム又は装置内のコンピュータ（ＣＰＵあるいはＭＰＵ）に、上記実施形態を実現する為のソフトウエアのプログラムを供給し、このプログラムに従って上記システムあるいは装置のコンピュータが上記各種デバイスを動作させることにより上記実施形態を実現してもよい。
【００３９】
また、この様なプログラムを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００４０】
上記コンピュータが、供給されたプログラムのみに従って各種デバイスを制御することにより、上記実施の形態の機能が実現される場合だけではなく、上記プログラムがコンピュータ上で稼働しているＯＳ(オペレーティングシステム)、あるいは他のアプリケーションソフト等と共同して上記実施の形態が実現されてもよい。
【００４１】
更に、この供給されたプログラムが、コンピュータの機能拡張ボードやコンピュータに接続された機能拡張ユニットに備わるメモリに格納された後、そのプログラムの指示に基づいてその機能拡張ボードや機能格納ユニットに備わるＣＰＵ等が実際の処理の一部又は全部を行い、その処理によって上記実施の形態が実現されてもよい。
【図面の簡単な説明】
【００４２】
【図１】分割された６つの四面体を示す図である。
【図２】分割された三角形を補間する例を示す図である。
【図３】発明の実施形態１の色分解テーブルの作成する概略構成を示すブロック図である。
【図４】実施形態１に用いられるコンピュータシステムの具体的な構成を示す図である。
【図５】図２に示すコンピュータシステムの主要部を示したブロック図である。
【図６】実施形態１の色分解テーブルを作成する処理を示すフローチャートである。
【図７】色分解テーブルの構成を模式的に示す図および色分解テーブルの制御ラインを示す図である。
【図８】三角形の補間方向の例を示す図である
【図９】重み付けの例を示す図である。
【符号の説明】
【００４３】
４０１    画像信号入力装置
４０２    コンピュータ
４０３    ディスプレイ
４０４    プリンタ
５１４    伝送機器
５１５    外部入力ライン
【図１】
2006345112.tif 000003
【図２】
2006345112.tif 000004
【図３】
2006345112.tif 000005
【図４】
2006345112.tif 000006
【図５】
2006345112.tif 000007
【図６】
2006345112.tif 000008
【図７】
2006345112.tif 000009
【図８】
2006345112.tif 000010
【図９】
2006345112.tif 000011